(57)【要約】  【課題】  伸縮可能なヒンジが上下方向に離間して複数配置され、該複数のヒンジ２０、２１、２２の前後に化粧被覆材３８を配置することによってアコーディオンドア本体１４が形成されるアコーディオンドアにおいて、簡単に化粧被覆材を取り付けることができるようにする。  【解決手段】  化粧被覆材３８はいずれかのヒンジに対して、フック及びそれに掛止される掛止部によって弾性を利用して着脱可能に取り付けられ、化粧被覆材３８の両端部はフレーム１６、１８に対して面ファスナ４４、４６によって着脱可能に接合され、化粧被覆材３８は洗濯可能な素材からなり、ユーザが取り外して洗濯することができるようになっている。【選択図】  図１
2006002564.tif 000002
【特許請求の範囲】
【請求項１】
左右方向両端部に設けられたフレーム（１６、１８）間に伸縮可能なヒンジ（２０、２１、２２）が上下方向に離間して複数配置され、該複数のヒンジ（２０、２１、２２）の前後に化粧被覆材（３８）を配置することによってアコーディオンドア本体（１４）が形成され、アコーディオンドア本体（１４）が開閉自在となったアコーディオンドアにおいて、
化粧被覆材（３８）はいずれかのヒンジに対して、フック及びそれに掛止される掛止部によって弾性を利用して着脱可能に取り付けられ、化粧被覆材（３８）の両端部はフレーム（１６、１８）に対して面ファスナ（４４、４６）によって着脱可能に接合され、前記化粧被覆材（３８）は洗濯可能な素材であることを特徴とするアコーディオンドア。
【発明の詳細な説明】
【技術分野】
【０００１】
本発明は、アコーディオンドアに関し、その化粧被覆材を簡単に取り付けることができるアコーディオンドアに関する。
【背景技術】
【０００２】
従来、この種のアコーディオンドアとしては、特許文献１に記載されたものがある。これによれば、ヒンジである伸縮枠を上下に間隔を隔てて配置し、上下の伸縮枠の外側の枢軸部に垂直線材を通して上下の伸縮枠を連結して枠体を構成して、その枠体の上に化粧被覆材である表面シート材を張設したものにおいて、垂直線材の上下端に鈎部材を取り付け、表面シート材の裏面にスピンドルテープを設け、スピンドルテープを上下の鈎部材に引っ掛けることによって、上下に緊張した状態で表面シート材を伸縮枠体上に支持することが記載されている。そして、表面シート材の裏面に設けたスピンドルテープを鈎部材に対して係止させるときに、上端の鈎部材を引っ掛けたのち、下端の鈎部材をスプリングの弾性を利用して係止させることによって、素人でもアコーディオンドアの組立をすることができることが記載されている。
【０００３】
【特許文献１】実公昭５９−１５５９９号公報
【発明の開示】
【発明が解決しようとする課題】
【０００４】
しかしながら、かかる公報に記載されたアコーディオンドアでは、その組立作業を行う際に、下側の鈎部材をスプリングのスプリング力に抗して片方の手で上に持ち上げながら、その状態でもう一方の手で表面シート材を鈎部材の方へと接近させて表面シート材のスピンドルテープに係止させるようにしなければならないため、非常に作業が煩わしいという問題がある。
【０００５】
本発明はかかる課題に鑑みなされたもので、簡単に化粧被覆材を取り付けることができるアコーディオンドアを提供することをその目的とする。
【課題を解決するための手段】
【０００６】
前述した目的を達成するために、請求項１記載の発明は、左右方向両端部に設けられたフレーム間に伸縮可能なヒンジが上下方向に離間して複数配置され、該複数のヒンジの前後に化粧被覆材を配置することによってアコーディオンドア本体が形成され、アコーディオンドア本体が開閉自在となったアコーディオンドアにおいて、
化粧被覆材はいずれかのヒンジに対して、フック及びそれに掛止される掛止部によって弾性を利用して着脱可能に取り付けられ、化粧被覆材の両端部はフレームに対して面ファスナによって着脱可能に接合され、前記化粧被覆材は洗濯可能な素材であることを特徴とする。
【発明の効果】
【０００７】
本発明によれば、フックとそれに掛止される掛止部を弾性を利用して取り付けることで、化粧被覆材をヒンジに取り付け、さらに、化粧被覆材の両端を面ファスナによってフレームに接合することで、化粧被覆材を簡単に取り付けることができ、逆の手順で取り外すことができるので、化粧被覆材の洗濯をユーザが手軽に行うことができるようになる。
【発明を実施するための最良の形態】
【０００８】
以下、図面を用いて本発明の実施の形態を説明する。図１から図７は本発明のアコーディオンドアの実施形態を表す図である。
【０００９】
図において、１０はレールであり、レール１０を走行可能となった複数のランナー１２によって、アコーディオンドア本体１４が吊下げ支持されている。アコーディオンドア本体１４は、左右方向両端部に設けられたフレーム１６、１８と、フレーム１６、１８の間に渡り伸縮可能な複数のヒンジ２０、２１、２２と、ヒンジ２０、２１、２２に連結されてヒンジ２０、２１、２２の前後に配置される化粧被覆材３８とから形成される。化粧被覆材３８は、洗濯可能な素材からなるものとすることができ、例えば、布製とすることができる。
【００１０】
ヒンジ２０、２１、２２は、互いに上下方向に適当な間隔で配置される。ヒンジの数は任意とすることができ、この例では３個となっているが、少なくとも２つのヒンジが上下方向に適当な間隔で配置されるとよい。最上方に配置される上段ヒンジ２０の一部詳細図を図２及び図３に示す。図に示したように、ヒンジ２０は、一対のほぼ同一長さのヒンジ片２４、２５を互いの中央部で枢軸２６により枢着連結してＸ字状に連結してヒンジ要素２８を形成し、さらに、隣り合うヒンジ要素２８を構成するヒンジ片２４、２５の端部同士を枢軸３０により枢着連結して、複数のヒンジ要素２８を次々と連結していくことによって形成されている。従って、上段ヒンジ２０は、対向する枢軸２６、２６（枢着連結点）及び対向する枢軸３０、３０（枢着連結点）を４頂点とし、あるヒンジ要素２８を構成するヒンジ片２４、２５のそれぞれ半分と、その隣りのヒンジ要素２８を構成するヒンジ片２５、２４のそれぞれ半分とを４辺とする菱形形状をなした菱形形状部３２が複数連結されたものからなる。この菱形形状部３２の内角が変化して菱形形状部３２が変形することにより、上段ヒンジ２０が伸縮するようになっている。上段ヒンジ２０以外の中段ヒンジ２１及び下段ヒンジ２２も同様に構成され、各ヒンジ２０、２１、２２のそれぞれ上下方向に対応するヒンジ要素２８の各枢軸３０は、枢軸３０内を貫通する線材３６によって互いに連結されており、各ヒンジ２０、２１、２２の各ヒンジ要素２８は、同調して伸縮するように形成される。また、各ヒンジ２０、２１、２２の両端は、２つのフレーム１６、１８にそれぞれ連結される。
【００１１】
上段ヒンジ２０の枢軸２６の上側には、枢軸２６に対して回転可能に取付板３４が設けられる。取付板３４の両端には、フック３４ａ、３４ａが形成されている。フック３４ａ、３４ａは上向きとなっており、その端部は、取付板３４よりも上側となっている。また、所定の取付板３４には枢軸２６を貫通した軸を有するランナー１２が取り付けられる。
【００１２】
一方、中段ヒンジ２１及び下段ヒンジ２２のそれぞれの枢軸２６の下側には、枢軸２６に対して回転可能に取付板３５が取り付けられる。取付板３５の両端には、フック３５ａ、３５ａが形成される。フック３５ａ、３５ａは、下向きとなっており、その端部は取付板３５よりも下側となっている。尚、取付板３５は、取付板３４と、枢軸２６に対する取付の上下関係が逆さまであるだけであり、取付板３４と同一の部品を用いて構成することが可能であり、部品の種類を増加させる必要はない。
【００１３】
前側及び後側のそれぞれの化粧被覆材３８の裏面には、図５及び図６に示したように、各ヒンジ２０、２１、２２の位置及び各ヒンジ２０、２１、２２の枢軸２６の位置に対応して、それぞれ掛止部３９が設けられる。掛止部３９は、リボン４０またはリボン４１と、該リボン４０、４１に連結された係止リング４２とからなる。各リボン４０、４１は、点付け縫製によって（図５及び図６に符号Ｐで表す）化粧被覆材３８の裏面にそれぞれ取り付けることができ、従って、化粧被覆材３８の表側から見ると、連続した縫製跡とはならず、点が離散的に配置された縫製跡となるだけであるために、目立たずに意匠的にも優れたものとすることができる。中段ヒンジ２１及び下段ヒンジ２２に対応した位置に縫製されるリボン４１は、その上下方向に弾性的に伸縮可能な素材からなる弾性部となっている。一方、上段ヒンジ２０に対応した位置に縫製されるリボン４０は、伸縮可能とする必要はない。そして、リボン４０に連結された係止リング４２は、上段ヒンジ２０のフック３４ａに係止され、リボン４１に連結された係止リング４２は、中段ヒンジ２１及び下段ヒンジ２２のフック３５ａに係止される。また、化粧被覆材３８の両端には、面ファスナ４４が縫製されており、これらの面ファスナ４４は、フレーム１６、１８に固定された面ファスナ４６に着脱可能に接合される。
【００１４】
以上のように構成されるアコーディオンドアにおいて、化粧被覆材３８は、フレーム１６、１８、ヒンジ２０、２１、２２及び線材３６によって構成される骨組に対して着脱可能となっており、従って、ユーザが化粧被覆材３８を取り外して洗濯した後、再び取り付けることができ、または、アコーディオンドアをユーザが設定するときにも、骨組を組み立てた後、ユーザー自身が簡単に化粧被覆材３８を取り付けることができる。化粧被覆材３８を骨組に取り付けるには、次のように行う。
【００１５】
まず、骨組を構成する上段ヒンジ２０のフック３４ａに、化粧被覆材３８のリボン４０に設けられた係止リング４２を引っ掛け、化粧被覆材３８を骨組に吊した状態とする。
【００１６】
次に、骨組を構成する中段ヒンジ２１のフック３５ａに、化粧被覆材３８の対応するリボン４１に設けられた係止リング４２を引っ掛ける。このとき、伸縮可能となったリボン４１を伸ばしながら、引っ掛けるようにする。リボン４１の復元力を利用して化粧被覆材３８をしわ無く取り付けることができる。
【００１７】
次いで、骨組を構成する下段ヒンジ２２のフック３５ａに化粧被覆材３８の対応するリボン４１に設けられた係止リング４２を引っ掛ける。このとき、中段ヒンジ２１のときと同様に伸縮可能となったリボン４１を伸ばしながら、引っ掛けるようにすることで、リボン４１の復元力を利用して化粧被覆材３８をしわ無く取り付けることができる。
【００１８】
最後に、骨組を構成するフレーム１６、１８に固定された面ファスナ４６に、化粧被覆材３８の対応する面ファスナ４４を張り合わせる。
【００１９】
こうして、化粧被覆材３８を骨組に取り付けることができ、アコーディオン本体１４が完成する。化粧被覆材３８を骨組から取り外す場合には、上述と反対の手順にて行うことができる。
【００２０】
この実施形態によるアコーディオンドアによれば、上述の化粧被覆材３８の係止リング４２を中段ヒンジ２１及び下段ヒンジ２２のフック３５ａに引っ掛ける作業を行うときに、化粧被覆材３８側の係止リング４２を引張りながら、フック３５ａに係止させる。即ち、化粧被覆材３８を押さえつつ、化粧被覆材３８のリボン４１を伸ばして係止作業を行えばよく、骨組側のフック３５ａを引張ったり、手で押さえたりする必要はないので、片手でも係止作業が行えるため、作業が簡単となる。
【図面の簡単な説明】
【００２１】
【図１】本発明の実施形態によるアコーディオンドアの正面図である。
【図２】上段ヒンジを平面的に見た図であり、ヒンジが伸びた状態を表す。
【図３】上段ヒンジを平面的に見た図であり、ヒンジが縮んだ状態を表す。
【図４】アコーディオンドア本体の上方から見た斜視図である。
【図５】化粧被覆材の背面図である。
【図６】図５の６−６線に沿って見た断面図である。
【図７】アコーディオンドア本体の骨組を主に表す側面図である（手前のフレームは省略し、化粧被覆材は仮想線で示している）。
【符号の説明】
【００２２】
１４  アコーディオンドア本体
１６、１８  フレーム
２０  上段ヒンジ
２１  中段ヒンジ
２２  下段ヒンジ
３４ａ  上向きフック
３５ａ  下向きフック
３８  化粧被覆材
３９  掛止部
４６、４８  面ファスナ
【図１】
2006002564.tif 000003
【図２】
2006002564.tif 000004
【図３】
2006002564.tif 000005
【図４】
2006002564.tif 000006
【図５】
2006002564.tif 000007
【図６】
2006002564.tif 000008
【図７】
2006002564.tif 000009